(57)【要約】【課題】臨床医が読影レポートを確認する際に、読影医により指摘された事項の見落としを防ぐ。【解決手段】読影レポート管理装置は、臨床医からの読影依頼に応じて読影医が作成した第１の読影レポートから予め定められた所定の文字列を抽出し、第１の読影レポート内の抽出された所定の文字列に対応する位置にチェックボックスＣ１〜Ｃ１５を設けた第２の読影レポート９０を作成する。臨床医が使用する端末装置から読影レポートの表示要求があった場合に、第２の読影レポート９０を端末装置に表示させ、端末装置からの操作によって、第２の読影レポート９０に設けられた全てのチェックボックスＣ１〜Ｃ１５にチェックが入れられたか否かを判定し、第２の読影レポート９０に設けられた全てのチェックボックスＣ１〜Ｃ１５にチェックが入れられた場合に、端末装置からの操作による第２の読影レポート９０の表示終了要求を受け付ける。【選択図】図１２
2019204189.tif 000002
【特許請求の範囲】
【請求項１】
予め定められた所定の文字列を記憶する記憶手段と、
臨床医からの読影依頼に応じて読影医が作成した第１の読影レポートから前記所定の文字列を抽出し、前記第１の読影レポート内の前記抽出された所定の文字列に対応する位置にチェックボックスを設けた第２の読影レポートを作成する作成手段と、
前記臨床医が使用する端末装置から読影レポートの表示要求があった場合に、前記第２の読影レポートを前記端末装置に表示させる表示制御手段と、
前記端末装置からの操作によって、前記第２の読影レポートに設けられた全てのチェックボックスにチェックが入れられたか否かを判定するチェック判定手段と、
前記第２の読影レポートに設けられた全てのチェックボックスにチェックが入れられた場合に、前記端末装置からの操作による前記第２の読影レポートの表示終了要求を受け付ける受付手段と、
を備える読影レポート管理装置。
【請求項２】
前記記憶手段に記憶されている所定の文字列ごとに、重要度が対応付けられており、
前記作成手段は、前記第１の読影レポートから抽出された所定の文字列の重要度に応じて、当該所定の文字列に対応するチェックボックスの表示態様を変更する請求項１に記載の読影レポート管理装置。
【請求項３】
過去に作成された前記第１の読影レポートにおける前記所定の文字列の出現頻度に基づいて、当該所定の文字列の重要度を変更する重要度変更手段を備える請求項２に記載の読影レポート管理装置。
【請求項４】
前記第２の読影レポートに設けられた全てのチェックボックスにチェックが入れられた場合に、当該第２の読影レポートに対応する前記第１の読影レポートを作成した前記読影医の通知先に、前記臨床医による前記第２の読影レポートの確認が完了したことを通知する通知手段を備える請求項１から３のいずれか一項に記載の読影レポート管理装置。
【請求項５】
前記記憶手段に任意の文字列を前記所定の文字列として記憶させる登録手段を備える請求項１から４のいずれか一項に記載の読影レポート管理装置。
【請求項６】
前記所定の文字列は、医療用語、部位又は傷病名を含む請求項１から５のいずれか一項に記載の読影レポート管理装置。
【請求項７】
コンピューターを、
予め定められた所定の文字列を記憶する記憶手段、
臨床医からの読影依頼に応じて読影医が作成した第１の読影レポートから前記所定の文字列を抽出し、前記第１の読影レポート内の前記抽出された所定の文字列に対応する位置にチェックボックスを設けた第２の読影レポートを作成する作成手段、
前記臨床医が使用する端末装置から読影レポートの表示要求があった場合に、前記第２の読影レポートを前記端末装置に表示させる表示制御手段、
前記端末装置からの操作によって、前記第２の読影レポートに設けられた全てのチェックボックスにチェックが入れられたか否かを判定するチェック判定手段、
前記第２の読影レポートに設けられた全てのチェックボックスにチェックが入れられた場合に、前記端末装置からの操作による前記第２の読影レポートの表示終了要求を受け付ける受付手段、
として機能させるためのプログラム。
【発明の詳細な説明】
【技術分野】
【０００１】
本発明は、読影レポート管理装置及びプログラムに関する。
【背景技術】
【０００２】
従来、医療分野においては、Ｘ線撮影装置（ＤＲ、ＣＲ）、超音波診断装置（ＵＳ）、ＣＴ（Computed Tomography）、ＭＲＩ（Magnetic Resonance Imaging）等のモダリティーを用いて、患者に対して様々な画像検査が行われている。臨床医は、患者の症状から必要な検査を判断し、医療施設内のモダリティーに対して検査オーダーを発行する。
【０００３】
臨床医が画像検査を依頼する目的としては、病状の状態確認や治療計画の確認が主である。臨床医は、検査技師に対して目的の領域を十分カバーする範囲（例えば、腹部全体）で画像検査を依頼する。
【０００４】
また、モダリティーで撮影された医用画像については、臨床医が読影医に画像診断（読影）を依頼し、読影医が画像診断報告書（以下、読影レポートという。）を作成するのが通例となっている。臨床医は、読影医が作成した読影レポートを参考にしながら、診断を行う。
【０００５】
また、依頼者からの検査依頼に基づいて撮影された医用画像について読影レポートを作成するシステムにおいて、読影医が読影結果の重要性の度合いを示す重要度を読影レポートに設定し、重要度に基づいて患者に対して緊急な対応が必要であると判定した場合に、依頼者にメッセージを送信する技術が提案されている（特許文献１参照）。
【先行技術文献】
【特許文献】
【０００６】
【特許文献１】特開２００９−０７５９２７号公報
【発明の概要】
【発明が解決しようとする課題】
【０００７】
しかしながら、読影医は、臨床医から読影を依頼されると、臨床医が想定していた目的の領域だけでなく、撮影された全ての画像範囲の読影を行った上で、読影レポートを作成する。臨床医は、読影レポートに、予測していなかった臓器に関する記載や専門領域外の内容が含まれていると、読影レポート内の指摘事項を見落とすおそれがあった。例えば、卵巣領域の診断を目的として腹部全体が撮影された医用画像に対し、読影医が読影レポートにおいて大腸の腫瘍について言及している場合等がある。この場合、患者に別の疾患があることが認知されず、放置されるという問題があった。
【０００８】
このように、読影医と画像診断を依頼した臨床医との間で重要所見が共有されず、読影医が気付いていた疾患を臨床医が見逃すことで、診断・治療が遅れてしまうという問題に対し、読影医から臨床医に直接連絡する機会を増やしたり、ダブルチェックしたりする等の対策が採られているが、手間がかかり、効率が悪かった。
【０００９】
本発明は、上記の従来技術における問題に鑑みてなされたものであって、臨床医が読影レポートを確認する際に、読影医により指摘された事項の見落としを防ぐことを課題とする。
【課題を解決するための手段】
【００１０】
上記課題を解決するために、請求項１に記載の発明は、予め定められた所定の文字列を記憶する記憶手段と、臨床医からの読影依頼に応じて読影医が作成した第１の読影レポートから前記所定の文字列を抽出し、前記第１の読影レポート内の前記抽出された所定の文字列に対応する位置にチェックボックスを設けた第２の読影レポートを作成する作成手段と、前記臨床医が使用する端末装置から読影レポートの表示要求があった場合に、前記第２の読影レポートを前記端末装置に表示させる表示制御手段と、前記端末装置からの操作によって、前記第２の読影レポートに設けられた全てのチェックボックスにチェックが入れられたか否かを判定するチェック判定手段と、前記第２の読影レポートに設けられた全てのチェックボックスにチェックが入れられた場合に、前記端末装置からの操作による前記第２の読影レポートの表示終了要求を受け付ける受付手段と、を備える読影レポート管理装置である。
【００１１】
請求項２に記載の発明は、請求項１に記載の読影レポート管理装置において、前記記憶手段に記憶されている所定の文字列ごとに、重要度が対応付けられており、前記作成手段は、前記第１の読影レポートから抽出された所定の文字列の重要度に応じて、当該所定の文字列に対応するチェックボックスの表示態様を変更する。
【００１２】
請求項３に記載の発明は、請求項２に記載の読影レポート管理装置において、過去に作成された前記第１の読影レポートにおける前記所定の文字列の出現頻度に基づいて、当該所定の文字列の重要度を変更する重要度変更手段を備える。
【００１３】
請求項４に記載の発明は、請求項１から３のいずれか一項に記載の読影レポート管理装置において、前記第２の読影レポートに設けられた全てのチェックボックスにチェックが入れられた場合に、当該第２の読影レポートに対応する前記第１の読影レポートを作成した前記読影医の通知先に、前記臨床医による前記第２の読影レポートの確認が完了したことを通知する通知手段を備える。
【００１４】
請求項５に記載の発明は、請求項１から４のいずれか一項に記載の読影レポート管理装置において、前記記憶手段に任意の文字列を前記所定の文字列として記憶させる登録手段を備える。
【００１５】
請求項６に記載の発明は、請求項１から５のいずれか一項に記載の読影レポート管理装置において、前記所定の文字列は、医療用語、部位又は傷病名を含む。
【００１６】
請求項７に記載の発明は、コンピューターを、予め定められた所定の文字列を記憶する記憶手段、臨床医からの読影依頼に応じて読影医が作成した第１の読影レポートから前記所定の文字列を抽出し、前記第１の読影レポート内の前記抽出された所定の文字列に対応する位置にチェックボックスを設けた第２の読影レポートを作成する作成手段、前記臨床医が使用する端末装置から読影レポートの表示要求があった場合に、前記第２の読影レポートを前記端末装置に表示させる表示制御手段、前記端末装置からの操作によって、前記第２の読影レポートに設けられた全てのチェックボックスにチェックが入れられたか否かを判定するチェック判定手段、前記第２の読影レポートに設けられた全てのチェックボックスにチェックが入れられた場合に、前記端末装置からの操作による前記第２の読影レポートの表示終了要求を受け付ける受付手段、として機能させるためのプログラムである。
【発明の効果】
【００１７】
本発明によれば、臨床医が読影レポートを確認する際に、読影医により指摘された事項の見落としを防ぐことができる。
【図面の簡単な説明】
【００１８】
【図１】医用画像システムのシステム構成図である。
【図２】画像管理サーバーの機能的構成を示すブロック図である。
【図３】文字列一覧表のデータ構成例である。
【図４】文字列一覧表のデータ構成を示す他の例である。
【図５】文字列一覧表のデータ構成を示す他の例である。
【図６】読影レポート状態の遷移例を示す図である。
【図７】臨床医端末、読影医端末の機能的構成を示すブロック図である。
【図８】医用画像システムにおいて実行される画像検査診断処理を示すラダーチャートである。
【図９】画像管理サーバーにより実行されるチェックボックス付き読影レポート作成処理を示すフローチャートである。
【図１０】画像管理サーバーにより実行される読影レポート表示処理を示すフローチャートである。
【図１１】第１の読影レポートの例を示す図である。
【図１２】第２の読影レポートの例を示す図である。
【発明を実施するための形態】
【００１９】
以下、本発明に係る読影レポート管理装置の実施の形態について説明する。ただし、発明の範囲は、図示例に限定されない。
【００２０】
図１に、医用画像システム１００のシステム構成を示す。
図１に示すように、医用画像システム１００は、電子カルテサーバー１０、ＲＩＳ（Radiology Information System）サーバー２０、読影レポート管理装置としての画像管理サーバー３０、臨床医端末４０、読影医端末５０、モダリティー６０，６０，・・・等から構成され、ＬＡＮ（Local Area Network）等の通信ネットワークＮを介してデータ通信可能に接続されている。医用画像システム１００を構成する各装置は、ＨＬ７（Health Level Seven）やＤＩＣＯＭ（Digital Image and Communications in Medicine）規格に準じており、各装置間の通信は、ＨＬ７やＤＩＣＯＭに則って行われる。なお、臨床医端末４０、読影医端末５０の台数は、特に限定されない。
【００２１】
電子カルテサーバー１０は、臨床医端末４０からの操作指示に応じて、患者に対する診療行為や診断結果を記録した電子カルテ情報や、患者に対する検査を依頼するための検査オーダーを生成する。
【００２２】
検査オーダーには、検査依頼者（臨床医）、読影医、患者情報、検査情報等が含まれている。
患者情報は、患者に関する情報である。患者情報には、患者ＩＤ、患者氏名、生年月日、年齢、性別、身長、体重、血圧（上／下）、血液型、体温、現病歴、既往歴、入外区分、アレルギー歴、感染症等が含まれる。
検査情報は、検査に関する情報である。検査情報には、検査ＩＤ、検査日時、モダリティー（ＤＲ、ＣＲ、ＵＳ、ＣＴ、ＭＲＩ等）、検査部位（胸部、腹部等）、技師氏名、診療科、検査目的、読影目的、造影剤有無、受付番号等が含まれる。検査目的は、検査依頼者から検査技師や読影医へ検査目的を伝えるための情報である。読影目的は、検査依頼者から読影医へ読影すべきポイントを伝えるための情報である。
【００２３】
ＲＩＳサーバー２０は、放射線機器による検査や治療の予約、検査結果等の放射線科内の情報を管理する。ＲＩＳサーバー２０は、電子カルテサーバー１０において発行された検査オーダーを管理し、検査オーダーに基づいて、検査対象のモダリティー６０に対して検査依頼を送信し、画像管理サーバー３０に読影依頼を送信する。
【００２４】
画像管理サーバー３０は、モダリティー６０において生成された医用画像の画像データを記憶し、患者ごとに管理する。画像管理サーバー３０としては、例えば、ＰＡＣＳ（Picture Archiving and Communication System）等が挙げられる。
【００２５】
図２に、画像管理サーバー３０の機能的構成を示す。
図２に示すように、画像管理サーバー３０は、制御部３１、通信部３２、記憶部３３、画像保管部３４等を備えて構成されており、各部はバス３５により接続されている。
【００２６】
制御部３１は、ＣＰＵ（Central Processing Unit）、ＲＯＭ（Read Only Memory）及びＲＡＭ（Random Access Memory）等から構成され、画像管理サーバー３０の各部の処理動作を統括的に制御する。具体的には、ＣＰＵは、ＲＯＭに記憶されている各種処理プログラムを読み出してＲＡＭに展開し、当該プログラムとの協働により各種処理を行う。
【００２７】
通信部３２は、ネットワークインターフェース等により構成され、通信ネットワークＮを介して接続された外部機器との間でデータの送受信を行う。例えば、通信部３２は、モダリティー６０により患者を撮影して得られた医用画像を受信する。
【００２８】
記憶部３３は、ＨＤＤ（Hard Disk Drive）や不揮発性メモリー等により構成され、各種データを記憶している。例えば、記憶部３３には、文字列一覧表３３１、ユーザー管理テーブルＴ１、検査管理テーブルＴ２が記憶されている。
【００２９】
文字列一覧表３３１には、予め定められた所定の文字列が格納されている。所定の文字列は、「腫瘤」、「陰影」等の医療用語、「胸部」、「腹部」等の部位、「癌」、「骨粗鬆症」、「骨折」等の傷病名、「の疑い」、「の可能性」等の任意の単語を含む。
【００３０】
図３に、文字列一覧表３３１のデータ構成例を示す。文字列一覧表３３１には、予め定められた所定の文字列に対して、重要度が対応付けられている。また、文字列一覧表３３１において、各文字列は、複数のカテゴリーに分類されている。具体的には、図３に示す文字列一覧表３３１では、各文字列が画像診断で用いられる用語、病状を示す用語、病名を示す用語に分類されている。また、図３に示す文字列一覧表３３１では、カテゴリー「画像診断」に含まれる文字列には、重要度「Ｃ：低」が対応付けられており、カテゴリー「病状」に含まれる文字列には、重要度「Ｂ：中」が対応付けられており、カテゴリー「病名」に含まれる文字列には、重要度「Ａ：高」が対応付けられている。
なお、文字列の重要度として、チェックボックスを設けない「Ｄ」を対応付けることも可能である。
【００３１】
また、図４に示す文字列一覧表３３１のように、各文字列が当該文字列に関する部位ごとに分類されていてもよい。
また、図５に示す文字列一覧表３３１のように、各文字列が当該文字列に関する診療科ごとに分類されていてもよい。
【００３２】
ユーザー管理テーブルＴ１は、画像管理サーバー３０が提供する画像管理システムを利用するユーザーを管理するためのテーブルである。ユーザー管理テーブルＴ１には、ユーザー（医療従事者）ごとに、ユーザーＩＤ、パスワード、氏名、所属（診療科）、メールアドレス等が対応付けられて格納されている。
【００３３】
検査管理テーブルＴ２は、画像検査を管理するためのテーブルである。検査管理テーブルＴ２には、画像検査ごとに、検査依頼者（臨床医）、読影医、患者情報、検査情報、医用画像の識別情報（画像ＩＤ）、第１の読影レポートの識別情報（レポートＩＤ）、第２の読影レポートの識別情報（レポートＩＤ）、読影レポート状態等が対応付けられて格納される。
第１の読影レポートは、読影医が読影医端末５０において医用画像を読影して作成したものである。
第２の読影レポートは、第１の読影レポートに対してチェックボックス付き読影レポート作成処理（図９参照）が施された結果、作成されたものである。
【００３４】
読影レポート状態は、読影レポートの状態を示す情報であり、「未読影」、「読影中」、「承認済み」、「確認完了」等の状態を取り得る。読影レポート状態は、各画像検査に対して一つの状態を表すものであり、相互に対応する第１の読影レポート及び第２の読影レポートの組に対して一つの状態を持つ。
【００３５】
図６に、読影レポート状態の遷移例を示す。
モダリティー６０により生成された医用画像の画像データが画像管理サーバー３０に登録されると、読影レポート状態は「未読影」状態７０となる。
「未読影」状態７０で、読影医により読影が開始されると、読影レポート状態は「読影中」状態７１となる。
「読影中」状態７１を経て、読影医により読影が行われ、読影レポートが作成され、承認が行われると、読影レポート状態は「承認済み」状態７２となる。読影医とは別に承認医が存在する場合には、承認医により読影レポートが確認され、承認が行われた後に、「承認済み」状態７２となる。
「承認済み」状態７２で、臨床医により読影レポートが確認されると、読影レポート状態は「確認完了」状態７３となる。
【００３６】
また、記憶部３３には、読影医端末５０からの操作指示に応じて作成された第１の読影レポート、画像管理サーバー３０において自動的に作成された第２の読影レポートが記憶される。第１の読影レポート、第２の読影レポートは、それぞれレポートＩＤで特定される。
【００３７】
画像保管部３４は、患者ごとに、医用画像の画像データを記憶し、保管するための記憶装置である。
【００３８】
制御部３１は、臨床医からの読影依頼に応じて読影医が作成した第１の読影レポートから所定の文字列を抽出し、第１の読影レポート内の、抽出された所定の文字列に対応する位置にチェックボックスを設けた第２の読影レポート（チェックボックス付き読影レポート）を作成する。すなわち、制御部３１は、作成手段として機能する。所定の文字列に対応する位置として、例えば、所定の文字列から予め定められた距離以内の位置（以下、近傍という。）にチェックボックスを設ける。
【００３９】
制御部３１は、第１の読影レポートから抽出された所定の文字列の重要度に応じて、当該所定の文字列に対応するチェックボックスの表示態様を変更する。例えば、制御部３１は、所定の文字列の重要度に応じて、チェックボックスの色、大きさ、線種等を変更する。
【００４０】
制御部３１は、臨床医が使用する端末装置としての臨床医端末４０から読影レポートの表示要求があった場合に、第２の読影レポートを表示要求があった臨床医端末４０に表示させる。すなわち、制御部３１は、表示制御手段として機能する。
【００４１】
制御部３１は、臨床医端末４０からの操作によって、第２の読影レポートに設けられた全てのチェックボックスにチェックが入れられたか否かを判定する。すなわち、制御部３１は、チェック判定手段として機能する。
【００４２】
制御部３１は、第２の読影レポートに設けられた全てのチェックボックスにチェックが入れられた場合に、臨床医端末４０からの操作による第２の読影レポートの表示終了要求を受け付ける。すなわち、制御部３１は、受付手段として機能する。
【００４３】
制御部３１は、第２の読影レポートに設けられた全てのチェックボックスにチェックが入れられた場合に、当該第２の読影レポートに対応する第１の読影レポートを作成した読影医の通知先に、臨床医による第２の読影レポートの確認が完了したことを通知する。すなわち、制御部３１は、通知手段として機能する。
【００４４】
制御部３１は、過去に作成された複数の第１の読影レポートから所定の文字列を抽出し、所定の文字列の出現頻度に基づいて、当該所定の文字列の重要度を変更する。すなわち、制御部３１は、重要度変更手段として機能する。具体的には、制御部３１は、過去に作成された複数の第１の読影レポートにおいて、出現頻度が高い所定の文字列ほど、当該所定の文字列の重要度を高くする。
【００４５】
また、制御部３１は、外部機器等からの操作により、記憶部３３の文字列一覧表３３１に、任意の文字列を所定の文字列として記憶させる。すなわち、制御部３１は、登録手段として機能する。例えば、制御部３１は、臨床医端末４０や読影医端末５０からの操作に基づいて、文字列一覧表３３１に、所定の文字列及びその重要度を登録可能とする。
【００４６】
制御部３１は、通信部３２を介して、外部機器から医用画像や読影レポートの表示要求があった場合に、当該表示要求に応じて、要求された医用画像や読影レポートを表示するための画面データを当該外部機器に送信する。
【００４７】
臨床医端末４０は、臨床医により使用されるＰＣ（Personal Computer）等のコンピューター装置である。臨床医は、臨床医端末４０において、電子カルテの作成、検査オーダーの生成、医用画像や読影レポートの閲覧等を行う。
【００４８】
図７に、臨床医端末４０の機能的構成を示す。
図７に示すように、臨床医端末４０は、制御部４１、操作部４２、表示部４３、通信部４４、記憶部４５等を備えて構成されており、各部はバス４６により接続されている。
【００４９】
制御部４１は、ＣＰＵ、ＲＯＭ、ＲＡＭ等から構成され、臨床医端末４０の各部の処理動作を統括的に制御する。具体的には、ＣＰＵは、ＲＯＭに記憶されている各種処理プログラムを読み出してＲＡＭに展開し、当該プログラムとの協働により各種処理を行う。
【００５０】
操作部４２は、カーソルキー、文字・数字入力キー及び各種機能キー等を備えたキーボードと、マウス等のポインティングデバイスを備えて構成され、キーボードに対するキー操作やマウス操作により入力された操作信号を制御部４１に出力する。
表示部４３は、ＬＣＤ（Liquid Crystal Display）等のモニターを備えて構成されており、制御部４１から入力される表示信号の指示に従って、各種画面を表示する。
【００５１】
通信部４４は、ネットワークインターフェース等により構成され、通信ネットワークＮを介して接続された外部機器との間でデータの送受信を行う。
記憶部４５は、ＨＤＤや不揮発性の半導体メモリー等により構成され、各種データを記憶している。
【００５２】
読影医端末５０は、読影医により使用されるＰＣ等のコンピューター装置である。読影医は、読影医端末５０において、医用画像の読影、読影レポート（第１の読影レポート）の作成等を行う。
【００５３】
図７に、読影医端末５０の機能的構成を示す。
図７に示すように、読影医端末５０は、制御部５１、操作部５２、表示部５３、通信部５４、記憶部５５等を備えて構成されており、各部はバス５６により接続されている。読影医端末５０の各部は、臨床医端末４０の各部と同様であるため、説明を省略する。
【００５４】
モダリティー６０は、Ｘ線撮影装置（ＤＲ、ＣＲ）、超音波診断装置（ＵＳ）、ＣＴ、ＭＲＩ等の画像生成装置であり、患者を撮影して得られた医用画像を生成する。モダリティー６０は、ＤＩＣＯＭ規格に則って、付帯情報（患者情報、検査情報等）を医用画像の画像ファイルのヘッダーに書き込むことにより、医用画像に付帯情報を付帯させる。
【００５５】
次に、医用画像システム１００における動作について説明する。
図８は、医用画像システム１００において実行される画像検査診断処理を示すラダーチャートである。
【００５６】
まず、臨床医が臨床医端末４０から電子カルテサーバー１０にアクセスし、患者や検査内容を指定して検査オーダーを発行すると（ステップＳ１）、電子カルテサーバー１０は、ＲＩＳサーバー２０に検査オーダーを送信する。
【００５７】
ＲＩＳサーバー２０は、電子カルテサーバー１０から受信した検査オーダーに基づいて、モダリティー６０に検査依頼を送信し（ステップＳ２）、画像管理サーバー３０に読影依頼を送信する（ステップＳ３）。検査依頼や読影依頼に、検査オーダーに含まれる情報のうち、どの内容を入れるかは任意に設定可能である。ＲＩＳサーバー２０からモダリティー６０や画像管理サーバー３０に、検査オーダーそのものを送信することとしてもよい。
【００５８】
モダリティー６０は、ＲＩＳサーバー２０から検査依頼を受信すると、検査技師の操作により、検査依頼に応じて対象患者の対象部位の撮影を行い（ステップＳ４）、生成された医用画像を保存する（ステップＳ５）。モダリティー６０は、医用画像を画像管理サーバー３０に送信する（ステップＳ６）。
【００５９】
画像管理サーバー３０では、モダリティー６０から医用画像を受信すると、制御部３１は、当該医用画像の付帯情報に基づいて、ＲＩＳサーバー２０から受信した読影依頼の中から当該医用画像に対応する読影依頼を特定し、当該医用画像と特定された読影依頼（患者情報、検査情報等）とを対応付けて保存する。具体的には、制御部３１は、医用画像を画像保管部３４に記憶させるとともに、記憶部３３の検査管理テーブルＴ２に、検査依頼者、読影医、患者情報、検査情報、医用画像の識別情報を対応付けて格納し、検査管理テーブルＴ２の該当レコードの読影レポート状態を「未読影」にする。
【００６０】
読影医が読影医端末５０から画像管理サーバー３０にアクセスし、読影対象の医用画像を選択すると、選択された医用画像が読影医端末５０の表示部５３に表示される。
読影医は、表示部５３に表示された医用画像を読影し、操作部５２から読影結果を入力し、読影レポート（第１の読影レポート）を作成し、読影レポートの承認を行う（ステップＳ７）。画像管理サーバー３０において、制御部３１は、作成された第１の読影レポートを、患者情報及び検査情報と対応付けて管理する。具体的には、制御部３１は、第１の読影レポートを記憶部３３に記憶させるとともに、検査管理テーブルＴ２の該当レコードに、第１の読影レポートの識別情報を格納し、検査管理テーブルＴ２の該当レコードの読影レポート状態を「承認済み」にする。
【００６１】
次に、制御部３１は、チェックボックス付き読影レポート作成処理を実行し、第２の読影レポートを作成する（ステップＳ８）。チェックボックス付き読影レポート作成処理の詳細については、後述する。
【００６２】
次に、画像管理サーバー３０がＲＩＳサーバー２０に読影が完了した旨の通知を送信すると、ＲＩＳサーバー２０は、電子カルテサーバー１０に読影が完了した旨の通知を送信する（ステップＳ９）。
【００６３】
臨床医が臨床医端末４０から画像管理サーバー３０にアクセスし、対象とする画像検査を指定して読影レポートの表示を指示すると、制御部３１は、臨床医端末４０の表示部４３に第２の読影レポートを表示させる読影レポート表示処理を実行する（ステップＳ１０）。読影レポート表示処理の詳細については、後述する。
【００６４】
臨床医端末４０では、臨床医が第２の読影レポートを閲覧する（ステップＳ１１）。
臨床医は、患者を診察するとともに（ステップＳ１２）、臨床医端末４０から電子カルテサーバー１０にアクセスし、電子カルテを作成する（ステップＳ１３）。具体的には、臨床医は、読影レポートを参考にして今後の治療方針を計画し、患者への説明を行う。臨床医は、患者に対して処方・処置を行う（ステップＳ１４）。
以上で、画像検査診断処理が終了する。
【００６５】
次に、図９を参照して、画像管理サーバー３０におけるチェックボックス付き読影レポート作成処理（ステップＳ８）について説明する。チェックボックス付き読影レポート作成処理は、読影医が医用画像を読影して第１の読影レポートを作成した後に行われる処理である。この処理は、制御部３１のＣＰＵとＲＯＭに記憶されているプログラムとの協働によるソフトウェア処理によって実現される。
【００６６】
まず、制御部３１は、第１の読影レポートから、記憶部３３の文字列一覧表３３１に含まれる所定文字列を抽出する（ステップＳ２１）。
【００６７】
次に、制御部３１は、文字列一覧表３３１から、抽出された所定文字列に対応付けられている重要度を取得する（ステップＳ２２）。
【００６８】
次に、制御部３１は、第１の読影レポート内の、抽出された所定文字列の近傍に、当該所定文字列の重要度に応じた表示態様のチェックボックスを設ける（ステップＳ２３）。具体的には、制御部３１は、所定文字列の重要度のランク（Ａ〜Ｄ）に応じて、当該所定文字列に対応するチェックボックスの色、大きさ、線種等を変更する。例えば、重要度Ａの文字列の近傍には赤色でチェックボックスを設け、重要度Ｂの文字列の近傍には青色でチェックボックスを設け、重要度Ｃの文字列の近傍には緑色でチェックボックスを設け、重要度Ｄの文字列の近傍にはチェックボックスを設けない。このようにして、制御部３１は、チェックボックス付き読影レポート（第２の読影レポート）を作成していく。
【００６９】
ここで、制御部３１は、第１の読影レポートから全ての所定文字列を抽出したか否かを判断する（ステップＳ２４）。第１の読影レポートに未抽出の所定文字列がある場合には（ステップＳ２４；ＮＯ）、ステップＳ２１に戻り、処理が繰り返される。
【００７０】
ステップＳ２４において、第１の読影レポートから全ての所定文字列を抽出した場合には（ステップＳ２４；ＹＥＳ）、制御部３１は、第２の読影レポートを記憶部３３に保存する（ステップＳ２５）。制御部３１は、第２の読影レポートを記憶部３３に記憶させるとともに、検査管理テーブルＴ２の該当レコードに、第２の読影レポートの識別情報を格納する。
以上で、チェックボックス付き読影レポート作成処理が終了する。
【００７１】
次に、図１０を参照して、画像管理サーバー３０における読影レポート表示処理（ステップＳ１０）について説明する。読影レポート表示処理は、臨床医が読影レポートを確認する際に行われる処理である。この処理は、制御部３１のＣＰＵとＲＯＭに記憶されているプログラムとの協働によるソフトウェア処理によって実現される。
【００７２】
まず、制御部３１は、臨床医が使用する臨床医端末４０から読影レポートの表示要求があったか否かを判断する（ステップＳ３１）。読影レポートの表示要求には、画像検査を特定するための検査情報又は医用画像の識別情報が含まれている。読影レポートの表示要求がない場合には（ステップＳ３１；ＮＯ）、ステップＳ３１に戻る。
【００７３】
ステップＳ３１において、臨床医が使用する臨床医端末４０から読影レポートの表示要求があった場合には（ステップＳ３１；ＹＥＳ）、制御部３１は、表示要求において特定される画像検査に対応する第２の読影レポート（チェックボックス付き読影レポート）を記憶部３３から読み出し、当該第２の読影レポートを、表示要求があった臨床医端末４０に表示させる（ステップＳ３２）。具体的には、制御部３１は、特定される画像検査に対応する第２の読影レポートの識別情報を記憶部３３の検査管理テーブルＴ２から取得し、第２の読影レポートの識別情報に基づいて、第２の読影レポートを記憶部３３から読み出す。そして、制御部３１は、通信部３２を介して、第２の読影レポートを表示するための画面データを、表示要求があった臨床医端末４０に送信する。臨床医端末４０では、表示部４３に第２の読影レポートが表示される。
【００７４】
次に、制御部３１は、臨床医端末４０から第２の読影レポートに設けられたチェックボックスにチェックを入れる操作指示があったか否かを判断する（ステップＳ３３）。具体的には、臨床医が臨床医端末４０の操作部４２を操作して、表示部４３に表示されている第２の読影レポート内のチェックボックスにマウスポインターを合わせて、クリックすることで、チェックボックスにチェックが入る。
【００７５】
チェックボックスにチェックを入れる操作指示があった場合には（ステップＳ３３；ＹＥＳ）、制御部３１は、臨床医端末４０の表示部４３に表示されている第２の読影レポート上で、操作指示があったチェックボックスにチェックマークを表示させる（ステップＳ３４）。具体的には、制御部３１は、通信部３２を介して、操作指示があったチェックボックスにチェックマークを付加した第２の読影レポートを表示するための画面データを、臨床医端末４０に送信する。
【００７６】
次に、制御部３１は、操作指示があったチェックボックスにチェックが入った状態で、記憶部３３に記憶されている処理対象の第２の読影レポートを更新する（ステップＳ３５）。例えば、制御部３１は、ＸＭＬファイルで構成される第２の読影レポートに、操作指示があったチェックボックスにチェックが入ったことを示す情報を埋め込んで、当該ファイルを更新する。
【００７７】
ここで、制御部３１は、臨床医端末４０からの臨床医の操作によって、第２の読影レポートに設けられた全てのチェックボックスにチェックが入れられたか否かを判定する（ステップＳ３６）。
第２の読影レポートに設けられたチェックボックスのうち、チェックが入れられていないチェックボックスが残っている場合（ステップＳ３６；ＮＯ）、又は、ステップＳ３３において、チェックボックスにチェックを入れる操作指示がない場合には（ステップＳ３３；ＮＯ）、ステップＳ３３に戻り、処理が繰り返される。
【００７８】
ステップＳ３６において、第２の読影レポートに設けられた全てのチェックボックスにチェックが入れられた場合には（ステップＳ３６；ＹＥＳ）、制御部３１は、記憶部３３の検査管理テーブルＴ２において、該当する画像検査の読影レポート状態を「確認完了」にする（ステップＳ３７）。
【００７９】
次に、制御部３１は、臨床医端末４０の表示部４３に表示されている第２の読影レポートに閉じるボタンを表示させる（ステップＳ３８）。具体的には、制御部３１は、通信部３２を介して、閉じるボタンを付加した第２の読影レポートを表示するための画面データを、臨床医端末４０に送信する。つまり、制御部３１は、臨床医端末４０からの操作による第２の読影レポートの表示終了要求を受け付け、次のステップへの移行を可能とする。臨床医は、操作部４２からの操作により、閉じるボタンを押下することで、第２の読影レポートを閉じ、第２の読影レポートの表示を終了させることができる。
【００８０】
次に、制御部３１は、第２の読影レポートに対応する第１の読影レポートを作成した読影医の通知先を取得する（ステップＳ３９）。具体的には、制御部３１は、検査管理テーブルＴ２から該当する画像検査の読影医を取得し、ユーザー管理テーブルＴ１から読影医に対応するメールアドレスを取得する。
【００８１】
次に、制御部３１は、取得した読影医の通知先に、臨床医による第２の読影レポートの確認が完了したことを通知する（ステップＳ４０）。具体的には、制御部３１は、読影医のメールアドレス宛てに、第２の読影レポートの確認完了を通知する電子メールを送信する。なお、読影医に対する通知方法は、電子メールに限らず、読影医が画像管理サーバー３０が提供する画像管理システムにログインしている場合（又は、ログインした時）に、読影医が使用する読影医端末５０の表示部５３に、第２の読影レポートの確認完了を通知するメッセージを表示させることとしてもよい。
以上で、読影レポート表示処理が終了する。
【００８２】
図１１に、第１の読影レポート８０の例を示す。第１の読影レポート８０は、読影医が作成した読影レポートそのものである。
【００８３】
図１２に、第１の読影レポート８０を加工して作成された第２の読影レポート（チェックボックス付き読影レポート）９０の例を示す。
第２の読影レポート９０には、チェックボックスＣ１〜Ｃ１５が設けられている。具体的には、「ＨＣＣ」という文字列の近傍に、重要度Ａに対応する表示態様でチェックボックスＣ１，Ｃ２，Ｃ１３が付加されている。また、「腫大」という文字列の近傍に、重要度Ｂに対応する表示態様でチェックボックスＣ３，Ｃ１１が付加されている。また、「低濃度」という文字列の近傍に、重要度Ｃに対応する表示態様でチェックボックスＣ４〜Ｃ７が付加されている。また、「増大」という文字列の近傍に、重要度Ｃに対応する表示態様でチェックボックスＣ８が付加されている。また、「高濃度」という文字列の近傍に、重要度Ｃに対応する表示態様でチェックボックスＣ９，Ｃ１０が付加されている。また、「濃度上昇」という文字列の近傍に、重要度Ｃに対応する表示態様でチェックボックスＣ１２，Ｃ１４が付加されている。また、「腫瘍」という文字列の近傍に、重要度Ａに対応する表示態様でチェックボックスＣ１５が付加されている。
なお、図１２では、重要度ＡのチェックボックスＣ１，Ｃ２，Ｃ１３，Ｃ１５を太線で示し、重要度ＢのチェックボックスＣ３，Ｃ１１を二重線で示し、重要度ＣのチェックボックスＣ４〜Ｃ１０，Ｃ１２，Ｃ１４を細線で示している。
【００８４】
以上説明したように、本実施の形態によれば、第１の読影レポート内の所定の文字列に対応する位置にチェックボックスを設けた第２の読影レポートを作成し、臨床医が使用する臨床医端末４０に第２の読影レポートを表示させるので、臨床医が読影レポートを確認する際に、読影医により指摘された事項の見落としを防ぐことができる。読影レポートにチェックボックスを設けることで、臨床医に対して、各チェックボックスに対応する所定の文字列を一つ一つ確認することを促すことができ、臨床医に注意を喚起することができる。臨床医は、読影医が書いた読影レポートのポイントをより把握しやすくなり、重要箇所を読み飛ばすリスクが低減される。また、第２の読影レポートに設けられた全てのチェックボックスにチェックが入れられるまでは、第２の読影レポートの表示を終了することができないので、より確実に臨床医に第２の読影レポートを確認させることができる。このようにして、読影医が作成した読影レポートの内容を、読影依頼を出した臨床医に確実に伝達することができ、臨床医は、患者に適切な処置を実施することができる。
【００８５】
また、所定の文字列の重要度に応じて、当該所定の文字列に対応するチェックボックスの表示態様を変更することで、臨床医は、各文字列の重要度を認識しながら、第２の読影レポートを確認することができる。
【００８６】
また、過去の読影レポートにおける所定の文字列の出現頻度に基づいて、当該所定の文字列の重要度を変更することで、画像管理サーバー３０で管理されている読影レポートの傾向を文字列一覧表３３１に反映させることができる。
【００８７】
また、第２の読影レポートに設けられた全てのチェックボックスにチェックが入れられた場合に、当該第２の読影レポートに対応する第１の読影レポートを作成した読影医の通知先に、臨床医による第２の読影レポートの確認が完了したことを通知するので、読影医は、臨床医が第２の読影レポートを確認したことを認識することができる。
【００８８】
また、文字列一覧表３３１に、任意の文字列を所定の文字列として記憶させることで、臨床医が注意すべき任意の文字列を登録することができる。
【００８９】
なお、上記実施の形態における記述は、本発明に係る読影レポート管理装置の例であり、これに限定されるものではない。装置を構成する各部の細部構成及び細部動作に関しても本発明の趣旨を逸脱することのない範囲で適宜変更可能である。
【００９０】
例えば、上記実施の形態では、第１の読影レポートが作成された後に続けて第２の読影レポート（チェックボックス付き読影レポート）を作成することとしたが、臨床医が使用する臨床医端末４０から読影レポートの表示要求があってから、第２の読影レポートを作成することとしてもよい。
【００９１】
また、上記実施の形態では、画像管理サーバー３０に第１の読影レポート及び第２の読影レポートが記憶されることとしたが、画像管理サーバー３０から電子カルテサーバー１０又は臨床医端末４０に、第１の読影レポート及び第２の読影レポートを出力することとしてもよい。
【００９２】
また、上記実施の形態では、文字列一覧表３３１において、カテゴリーごとに重要度が設定されている場合について説明したが、用語（文字列）単位で重要度を設定可能としてもよい。
【００９３】
また、読影医が作成した第１の読影レポート内に臨床医が注目すべき文字列（文字列一覧表３３１に登録されている文字列）が含まれない場合、又は、第１の読影レポートから抽出された文字列に対応付けられている重要度が全て「Ｄ」の場合には、第２の読影レポートの作成を省略することとしてもよい。
【００９４】
また、読影依頼を出した臨床医が読影レポートに回答を返す必要がある場合には、臨床医端末４０に、第２の読影レポートとともに、読影医に対するコメントを入力するためのコメント欄が自動的に表示されることとしてもよい。
【００９５】
以上の説明では、各処理を実行するためのプログラムを格納したコンピューター読み取り可能な媒体としてＲＯＭを使用した例を開示したが、この例に限定されない。その他のコンピューター読み取り可能な媒体として、フラッシュメモリー等の不揮発性メモリー、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【００９６】
１０  電子カルテサーバー
２０  ＲＩＳサーバー
３０  画像管理サーバー
３１  制御部
３２  通信部
３３  記憶部
３４  画像保管部
４０  臨床医端末
５０  読影医端末
６０  モダリティー
１００  医用画像システム
３３１  文字列一覧表
Ｃ１〜Ｃ１５  チェックボックス
Ｎ  通信ネットワーク
Ｔ１  ユーザー管理テーブル
Ｔ２  検査管理テーブル
【図１】
2019204189.tif 000003
【図２】
2019204189.tif 000004
【図３】
2019204189.tif 000005
【図４】
2019204189.tif 000006
【図５】
2019204189.tif 000007
【図６】
2019204189.tif 000008
【図７】
2019204189.tif 000009
【図８】
2019204189.tif 000010
【図９】
2019204189.tif 000011
【図１０】
2019204189.tif 000012
【図１１】
2019204189.tif 000013
【図１２】
2019204189.tif 000014